(57)【要約】      （修正有）【課題】葺設作業が容易に実施でき、格別な寸法出しや桟の必要性もなく、止着固定も容易で正確であると共に、運搬や収納時における重積も簡単に位置決めできる屋根用瓦を提供する。【解決手段】瓦本体１の裏面に葺設時の係止ストッパーとしての突出体が形成され、突出体は瓦本体の前縁２寄りに位置し、後端６上縁にはその突出体を受ける受部７が形成されている。瓦本体には前縁から後端近傍に至る直線状の屈曲部４が少なくとも一以上設けられ、突出体はその屈曲部に対応する裏面位置に形成され、横幅方向に一連につながった壁状のものとする。また、突出体及び受部は瓦本体と一体成形され、瓦本体は全体として平板状として所定の横幅長さを有するものとする。【選択図】図１
0003198055.tif 000002
【実用新案登録請求の範囲】
【請求項１】
瓦本体の裏面に葺設時の係止ストッパーとしての突出体を形成してあることを特徴とする屋根用瓦。
【請求項２】
前記突出体は瓦本体の前縁寄りに位置されており、後端上縁にはその突出体を受ける受部が形成されていることを特徴とする請求項１に記載の屋根用瓦。
【請求項３】
前記した瓦本体は前縁から後端近傍に至る直線状の屈曲部が少なくとも一以上設けられ、前記した突出体はその屈曲部に対応する裏面位置に形成されていることを特徴とする請求項１または２に記載の屋根用瓦。
【請求項４】
前記した突出体は横幅方向に一連につながった壁状のものとしたことを特徴とする請求項１または２に記載の屋根用瓦。
【請求項５】
前記した突出体及び受部は瓦本体と一体成形されていることを特徴とする請求項１から３のうち１項に記載の屋根用瓦。
【請求項６】
前記した瓦本体は全体として平板状として所定の横幅長さを有するものであることを特徴とする請求項１から４のうち１項に記載の屋根用瓦。
【考案の詳細な説明】
【技術分野】
【０００１】
本考案は屋根用として葺設される屋根用瓦に関する。
【背景技術】
【０００２】
一般的に瓦は粘土を成形、焼成して製造されるもので、屋根用としては多数が使用される桟瓦のほか、軒瓦、隅瓦、袖瓦、そして丸瓦や鬼瓦等々複数種類が知られている。このうち、陸屋根を除き、使用数量が多い桟瓦は、屋根の傾斜面と直交する方向に複数平行に桟を設け、一部を重合して並べ、その桟を利用して滑落を係止し、釘やビス等で止着固定する。
【０００３】
しかしながら、この瓦を並べる作業は寸法出しが難しく煩わしい作業となっており、ある程度の精巧性が要求されるものとなっている。
【０００４】
また、従来の瓦は全体が波状に曲成されており、運搬や収納時に重積させることが困難で、特殊な梱包や締結が必要とされるものとなっていた。
【先行技術文献】
【特許文献】
【０００５】
出願人は本願考案に関して、先行する技術文献を調査したが、格別に本願考案と関連し、類似すると思われる文献は発見できなかった。
【考案の概要】
【考案が解決しようとする課題】
【０００６】
本考案が解決しようとする問題点は、従来の屋根用瓦は並べ葺設するについて、寸法出しが難しく、作業が煩わしくある程度の熟練性を要求されるものであったという点であり、運搬や収納時における重積がその波状の形状のため困難で特殊性が要求されるものであったという点である。
【課題を解決するための手段】
【０００７】
上記した問題点を解決するために、本考案に係る屋根用瓦は、瓦本体の裏面に葺設時の係止ストッパーとしての突出体を形成してあることを特徴とし、前記突出体は瓦本体の前縁寄りに位置されており、後端上縁にはその突出体を受ける受部が形成されていることを特徴としている。
【０００８】
また、本考案に係る屋根用瓦は、前記した瓦本体は前縁から後端近傍に至る直線状の屈曲部が少なくとも一以上設けられ、前記した突出体はその屈曲部に対応する裏面位置に形成されていることを特徴とし、前記した突出体は横幅方向に一連につながった壁状のものとしたことを特徴としている。
【０００９】
さらに、本考案に係る屋根用瓦は、前記した突出体及び受部は瓦本体と一体成形されていることを特徴とし、前記した瓦本体は全体として平板状として所定の横幅長さを有するものであることを特徴としている。
【考案の効果】
【００１０】
本考案に係る屋根用瓦は、上記のように構成されている。そのため、この屋根用瓦を並べ葺設する作業は突出体と受部との突き当て係合により容易に実施でき、格別な寸法出しも不要となるほか、桟の必要性もなくなる。
【００１１】
また、止着固定のための釘やビスの使用は墨打ちを確認するだけで、該当位置に打ち込むことができるものとなり、一連の葺設作業がスピードアップされ、かつ、容易で正確なものとなる。加えて、その構造から、運搬や収納時における重積も簡単に位置決めされるものとなる。
【図面の簡単な説明】
【００１２】
【図１】本考案に係る屋根用瓦の葺設状態を示す部分側面図である。
【図２】重積状態の外観を示す部分側面図である。
【図３】突出体を示す底面図である。
【図４】同じく内側を示す部分側面図である。
【図５】同じく部分正面図である。
【図６】葺設状態を分離して示す斜視図である。
【図７】同じく裏側の斜視図である。
【考案を実施するための形態】
【００１３】
図面として示し、実施例で説明したように構成したことで実現した。
【実施例１】
【００１４】
次に、本考案の好ましい実施の一例を図面を参照して説明する。図中１は本考案を実施した瓦本体を示している。この瓦本体１は従来と同様に粘土を素材として成形焼成されているもので、全体として平板状とし、前後縁の長さの略１０倍の長さの横幅を有する長尺板とされている。
【００１５】
この瓦本体１は前端縁２が下方に向け屈曲された構成とされ、図中として示す屋根Ｒの傾斜面にこの前端縁２を下方として並べられ葺設された際に、その前方に位置する瓦本体１の後縁寄り上面に、その前端縁２が載置され順次重合されていく構成となっている。
【００１６】
また、この瓦本体１の横幅方向の一方側、本実施例では図の左側に左右方向の重合用として凹段部３が形成されている。そして、この瓦本体１には所定の幅ピッチをもって、前縁から後端近傍に至る屈曲部４が複数個所に形成され、この屈曲部４は上面が凹み、その分裏面に突出される形態となっており、この屈曲部４は上面の凹みが前端縁２まで至っている。
【００１７】
さらに、この瓦本体１の後端寄り裏面には屋根Ｒの上面と下端を当接させ、瓦本体１を屋根Ｒからやや浮かせて支承する四角錐状の支承部５、５‥が所定の間隔で形成されている。そして、その支承部５、５‥の列と沿うように後端縁６が重設され屋根Ｒの上面と当接される。
【００１８】
前記した後端縁６の上部には後述する係止ストッパーとの突出体を係合して受け位置決めする受部７が一体に形成されている。
【００１９】
一方、瓦本体１の前記した屈曲部４の裏面側には係止ストッパーとなる突出体８が形成されており、この突出体８は前記凹段部３の裏面にも形成されている。この突出体８は裁頭角錐台状をしており、その前後面のテーパ面は前面のほうが後面よりも急角度に形成された構成となっている。また、この突出体８は図に示す裁頭角錐台状のものに代えて、横方向に一連とした壁状のものとすることもできる。
【００２０】
ここで、かかる構成をした瓦本体１の葺設について説明すると、瓦本体１は軒側から並べられ、順次後方上方となる次の瓦本体１の突出体８、８‥または一連の壁状の突出体８を既設された前側の瓦本体１の受部７に突き当てる。即ち、係止させることで格別な寸法出しの作業を不要として整然と迅速に実行することができる。
【００２１】
この並べられた瓦本体１、１‥を釘やビスの固着要素で止着固定する場合も墨打ちのみ確認するだけで実行でき、作業効率が著しく向上することとなる。また、図２、図４、図５等からも明瞭なように、この瓦本体１、１‥を運搬時、収納時に重積する場合、屈曲部４の上面凹みに、突出体８が嵌入され、位置ずれをおこすことが少なく、整然とした態様とすることができるものとなっている。
【産業上の利用可能性】
【００２２】
本実施例に係る屋根用瓦は上記のように構成されている。本実施例では素材として粘土を想定しているが、これにこだわらず、プラスチックや金属等の可塑性材によっても成形することができるのは勿論である。
【符号の説明】
【００２３】
１    瓦本体
２    前端縁
３    凹段部
４    屈曲部
５    支承部
６    後端縁
７    受部
８    突出体
Ｒ    屋根
【図１】
0003198055.tif 000003
【図２】
0003198055.tif 000004
【図３】
0003198055.tif 000005
【図４】
0003198055.tif 000006
【図５】
0003198055.tif 000007
【図６】
0003198055.tif 000008
【図７】
0003198055.tif 000009